(57)【要約】【課題】簡単な構造で手軽にバブルを含む水を頭部に作用させることができる頭部用バブル供給器を提供する。【解決手段】  頭部用バブル供給器１は、利用者の頭部を覆うカプセル２と、該カプセル２の開口された下端内側にて全周に亘って配されているチューブ３と、カプセル２を貫通してバブルを含む水であるバブル水を供給するためのバブル水供給部４と、カプセル２を貫通してカプセル２内のバブル水を排水するためのドレン部７とを備え、バブル水供給部４は利用者の頭頂部に対応する位置に配されていて、チューブ３はこれを膨張及び収縮させるための膨張収縮装置６と接続されている。【選択図】        図１
2019013414.tif 000002
【特許請求の範囲】
【請求項１】
利用者の頭部を覆うカプセルと、
該カプセルの開口された下端内側にて全周に亘って配されているチューブと、
前記カプセルを貫通してバブルを含む水であるバブル水を供給するためのバブル水供給部と、
前記カプセルを貫通して前記カプセル内の前記バブル水を排水するためのドレン部とを備え、
前記バブル水供給部は前記利用者の頭頂部に対応する位置に配されていて、
前記チューブはこれを膨張及び収縮させるための膨張収縮装置と接続されていることを特徴とする頭部用バブル供給器。
【請求項２】
前記ドレン部は、前記バブル水供給部に隣接して配設されていることを特徴とする請求項１に記載の頭部用バブル供給器。
【請求項３】
前記バブル水供給部に一方の端部が取り付けられたホースと、
該ホースに前記バブルとしてのマイクロバブルを供給するためのマイクロバブル発生装置と、
前記ホースに対して水を送り込むためのポンプとをさらに備えたことを特徴とする請求項１に記載の頭部用バブル供給器。
【請求項４】
前記バブル水供給部は、エアポンプに接続されたエアストーン及び前記頭頂部を貫通する開口部とで形成されていることを特徴とする請求項１に記載の頭部用バブル供給器。
【発明の詳細な説明】
【技術分野】
【０００１】
本発明は、利用者の頭部に対して例えばマイクロバブルを含むバブル水を供給するための頭部用バブル供給器に関するものである。
【背景技術】
【０００２】
従来はシャンプーによる洗髪が一般的である。しかしながら、シャンプーには界面活性剤が含まれていて、頭皮の油分が必要以上に取られてしまい、このため油分を補うために皮脂腺が発達し、本来毛根に使用される栄養分もこの皮脂腺に送られてしまう。したがって毛髪の衰えが促進されてしまう。このように人体には油分がある程度必要であるため、過剰な油分の洗浄は避けるべきである。
【０００３】
また、洗い残しがあった場合は界面活性剤や油分、そして汚れが毛穴に入り込み、これが血行を悪化させて毛根の発育を妨げる。シャンプーを使用しなければ界面活性剤が洗い残ることはない。そして汚れや油分は水で十分に流すことができるので、洗髪のためにシャンプーを使用することは頭皮にとって必ずしもいいとは言えない。
【０００４】
そこで、洗髪のためにマイクロバブルを利用することが知られている（例えば特許文献１参照）。特許文献１では、均一なマイクロバブルを発生することのできるバブル発生装置及び同装置を利用した洗髪装置を開示している。
【先行技術文献】
【特許文献】
【０００５】
【特許文献１】特開２００７−１３０６０１号公報
【発明の概要】
【発明が解決しようとする課題】
【０００６】
しかしながら、特許文献１のマイクロバブル発生装置は、マイクロバブルを含む水は洗髪容器の下部又は背面部から供給される。このことは、利用者が姿勢を横にしなければならず、サロン等の専門施設での利用を念頭においたものである。このため、装置も大型で手軽に利用できるものではない。そしてマイクロバブルを含む水は利用者の頭頂部に直接作用するものではないので、マイクロバブルによる洗髪効果が最大限活かされた態様ではない。
【０００７】
本発明は、上記従来技術を考慮したものであり、簡単な構造で手軽にバブルを含む水を頭部に作用させることができる頭部用バブル供給器を提供することを目的とする。
【課題を解決するための手段】
【０００８】
前記目的を達成するため、本発明では、利用者の頭部を覆うカプセルと、該カプセルの開口された下端内側にて全周に亘って配されているチューブと、前記カプセルを貫通してバブルを含む水であるバブル水を供給するためのバブル水供給部と、前記カプセルを貫通して前記カプセル内の前記バブル水を排水するためのドレン部とを備え、前記バブル水供給部は前記利用者の頭頂部に対応する位置に配されていて、前記チューブはこれを膨張及び収縮させるための膨張収縮装置と接続されていることを特徴とする頭部用バブル供給器を提供する。
【０００９】
好ましくは、前記ドレン部は、前記バブル水供給部に隣接して配設されている。
【００１０】
好ましくは、前記バブル水供給部に一方の端部が取り付けられたホースと、該ホースに前記バブルとしてのマイクロバブルを供給するためのマイクロバブル発生装置と、前記ホースに対して水を送り込むためのポンプとをさらに備えている。
【００１１】
好ましくは、前記バブル水供給部は、エアポンプに接続されたエアストーン及び前記頭頂部を貫通する開口部とで形成されている。
【発明の効果】
【００１２】
本発明によれば、バブル水供給部がカプセルに対して利用者の頭頂部に対応する位置に配されているため、利用者は上体を起こしてカプセルを被り、バブル水による頭部への処理を行うことができる。このとき、カプセルの下端内側にはチューブが全周に亘って配されているため、チューブを膨張させることで利用者の頭部と密着し、バブル水が下側に流れ落ちることを防止できる。カプセル内に溜まったバブル水は、ドレン部から適宜排水されるので、新鮮なバブル水を供給しながら頭部に対して処理を施すことができる。このバブル水による処理の間、上述したように利用者は上体を起こしたままでいいため、正面を向いたままの処理が可能となる。したがって横になって処理をするような専用の椅子や大がかりな装置も不要となるので、自宅等で手軽な使用を実現できる。
【００１３】
また、ドレン部がバブル水供給部に隣接して配設されることで、ドレン部もカプセルの頭頂部付近に配設されることになる。このため、バブル水はカプセル内に満ちてから排水されることになるため、頭部に万遍なくバブル水を行き渡らせることができ、効率のよい処理が可能となる。
【００１４】
また、供給ホースを流れる水にマイクロバブル発生装置によって発生されたマイクロバブルを供給してバブル水とし、これをバブル水供給部からカプセル内に送り込むことにより、市販のマイクロバブル発生装置を利用することができる。さらにポンプを備えることで、供給ホースの他端から水を吸い上げ、これをバブル水とすることができるので使い勝手が向上する。例えば、利用者は浴槽に浸かりながらカプセルを被り、浴槽の水をポンプで吸い上げてバブル水として利用することも可能となる。このとき、ドレン部から排水された水も浴槽内に戻すことで、バブル水を循環して使用することが可能となり、コスト低減及び水資源の節約にもなる。
【００１５】
また、バブル水供給部をエアストーン及び開口部で形成することで、カプセル内に満たされた水に対してエアストーンから発生するミリバブルを供給し、結果としてカプセル内にバブル水を供給することができる。この場合は、ミリバブルの超音波による洗浄効果、マッサージ効果、血行促進作用が期待できるものである。これにより、構造がさらに簡単になり、利便性も高まる。
【図面の簡単な説明】
【００１６】
【図１】本発明に係る頭部用バブル供給器の概略図である。
【図２】本発明に係る頭部用バブル供給器の使用状態を示す概略図である。
【図３】本発明に係る頭部用バブル供給器の別の例を示す概略図である。
【図４】本発明に係る頭部用バブル供給器のさらに別の例を示す概略図である。
【図５】本発明に係る頭部用バブル供給器のさらに別の例を示す概略図である。
【発明を実施するための形態】
【００１７】
図１に示すように、本発明に係る頭部用バブル供給器１は、利用者の頭部を覆うカプセル２を備えている。カプセル２はヘルメット形状であり、利用者が被ることで頭部全域が覆われるものである。このため、利用者の後頭部を覆う背面側は、顔面側に比べて突出して形成されている。そして、カプセル２の下端は利用者が被れるように開口して形成されている。このカプセル２の開口された下端内側には、チューブ３が全周に亘って配されている。このチューブ３は例えばエアチューブであり、エアの注入及び排出により膨張及び収縮可能である。このため、チューブ３は膨張収縮装置であるエアポンプ６と接続されている。利用者はこのエアポンプ６を操作することで、チューブ３内の空気の注入及び排出を行う。なお、チューブ３を膨張及び収縮するのはエアによらなくてもよい。例えば作動油等を利用して油圧により行ってもよい。チューブ３の表面は柔軟で防水効果が高く、さらに密着性能が高いことが好ましく、例えば硬度の低いシリコンや、ウレタンゲル、超軟質ウレタン樹脂、あるいはクロロブレンゴム等を利用できる。
【００１８】
カプセル２において、利用者の頭頂部に対応する位置には、バブル水供給部４が配されている。このバブル水供給部４はカプセル２を貫通してカプセル２の内外を連通させ、例えばマイクロバブルやミリバブル等のバブルを含む水であるバブル水を供給するためのものである。図１では、例えば水が流れるホース５の先端にマイクロバブル発生装置８が取り付けられたものを示している。これにより、ホース５を流れてきた水はマイクロバブル発生装置８にてマイクロバブルが含まれた水であるバブル水となり、カプセル２内に流入する。一方で、バブル水供給部４とは別に、ドレン部７もカプセル２を貫通してカプセル２に配されている。このドレン部７は、カプセル内のバブル水を排水するためのものであり、一端が開口してカプセル２内に臨むホースにて形成されている。図１の例では、ドレン部７は、バブル水供給部４に隣接して配設されている。このようにドレン部７がバブル水供給部４に隣接して配設されることで、ドレン部７もカプセル２の頭頂部付近に配設されることになる。このため、バブル水はカプセル２内に満ちてから排水されることになるため、頭部に万遍なくバブル水を行き渡らせることができ、効率のよい処理が可能となる。
【００１９】
利用者が頭部用バブル供給器１を利用する場合、まずカプセル２を頭部から被る。そして、エアポンプ６を作動させてチューブ３を膨張させる。これによりチューブ３はカプセル２の内側方向に膨らみ、利用者の頭部に対して密着し、カプセル２は頭部に固定される。この状態でホース５に水を流し（図２の矢印Ａ）、マイクロバブル発生装置８にてバブル水とし、これがカプセル２内に散水される（図２の矢印Ｂ）。バブル水はカプセル２内を落下するが、チューブ３と頭部が密着しているためカプセル２より下側に漏れることはなく、したがって徐々にカプセル２内に溜まっていく。バブル水の水位がドレン部７の開口端部まで来ると、ドレン部７から排水される（図２の矢印Ｃ）。なお、頭頂部からのバブル水の供給は、例えばバブル水供給部４に複数の細孔を設けてここから上述したように散水してもよいし、あるいは供給口を一つとしてそこから大量に勢いよく供給してもよい。
【００２０】
マイクロバブルには、洗浄効果や殺菌効果、さらにはマッサージ効果も認められている。頭部用バブル供給器１は、このようなマイクロバブルを含む水を用いてカプセル２内で利用者の洗髪をすることのほかに、前述した作用も期待できる。特に、マイクロバブルが圧壊する際に生じる超音波によるマッサージ効果は大きく、血行促進による頭皮環境の改善にもつながる。これは発毛や育毛にも効果があると期待されている。このように関心の高い頭部環境の改善において、本発明によれば、バブル水供給部４がカプセル２に対して利用者の頭頂部に対応する位置に配されているため、利用者は上体を起こしてカプセル２を被り、バブル水による頭部への処理を行うことができる。このとき、前述したように、カプセル２の下端内側にはチューブ３が全周に亘って配されているため、チューブ３を膨張させることで利用者の頭部と密着し、バブル水が下側に流れ落ちることを防止できる。カプセル２内に溜まったバブル水は、ドレン部７から適宜排水されるので、新鮮なバブル水を供給しながら頭部に対して処理を施すことができる。このバブル水による処理の間、上述したように利用者は上体を起こしたままでいいため、正面を向いたままの処理が可能となる。したがって横になって処理をするような専用の椅子や大がかりな装置も不要となるので、自宅等で手軽な使用を実現できる。
【００２１】
マイクロバブル発生装置８をバブル水供給部４とは別に設ける場合、図３に示すように、ホース５の途中に設けてもよい。ホース５は一方の端部がバブル水供給部４に取り付けられ、他端はフリーとなっている。このような場合、マイクロバブル発生装置８とポンプ９とを一体としてマイクロバブル発生供給装置１０とすれば、利用者は浴槽に浸かりながら頭部用バブル供給器１を利用することができる。具体的には、利用者がカプセル２を被って浴槽１１に浸かり、ホース５の他端及びドレン部７のホースを浴槽内に配する。そして、ポンプ９を駆動することで浴槽１１内の水はホース５内に送り込まれてマイクロバブル発生装置８を通過する。このときマイクロバブルが発生してホース５内を流れる水はバブル水となる。バブル水はそのままバブル水供給部４から利用者の頭頂部に向けて噴出される。この構成によれば、ポンプ９を備えているので、ホース５の他端から水を吸い上げ、これをバブル水とすることができるので使い勝手が向上する。上述したように、利用者は浴槽１１に浸かりながらカプセル２を被り、浴槽１１の水をポンプ９で吸い上げてバブル水として利用することも可能となる。このとき、ドレン部７から排水された水も浴槽１１内に戻るので、バブル水を循環して使用することが可能となり、コスト低減及び水資源の節約にもなる。また、循環させることでバブル水内のマイクロバブル濃度も上がり、種々の効果の増大が期待できる。また、バブル水供給部４とマイクロバブル発生装置８とを別体とすることで、市販のマイクロバブル発生装置８を利用することができる（アスピレータ等）。特に利用者にとっては、浴槽内で上体を起こして座ったままバブル水による洗髪処理を行えるメリットは大きく、万が一チューブ３を超えてバブル水が漏れたとしてもそれほど気にならない。浴槽１１内の水を排水及び給水しながら使用することも可能である。
【００２２】
浴槽１１内で使用する場合は、上記の他に、ホース５の他端を浴槽内ではなくシャワー給水口に接続してもよい。これにより新鮮な水を使用することができる。このとき、シャワー給水口に二股アダプタを取り付け、通常のシャワーへのホースと、マイクロバブル発生のためのホース５との双方への給水が可能となる。この二股アダプタを用いれば、例えば給水方向の切り替えによって簡単に通常のシャワーと頭部用バブル供給器１の切り替えが可能となる。なお、通常のシャワーへのホースに対して二股アダプタを取り付けるのではなく、シャワーの給水栓に直にホース５の他端を取り付けてもよい。
【００２３】
なお、バブル水供給部４がカプセル２の頭頂部に位置することは必須であるが、さらにカプセル２の前頭部や側頭部、あるいは後頭部に追加で設けることは自由である。このように頭頂部以外に設けることで、カプセル２内でより水流が生じるので、バブル水をカプセル２内で循環させて頭部の隅々まで行き渡らせることができる。特にマイクロバブルはミクロンの泡（およそ直径１００ミクロン未満）であるため、強い浮力を持たずにしばらく水中に滞留している。このため、頭皮や毛髪の隅々までマイクロバブルは行き渡り、頭皮や毛髪を傷めずに殺菌効果や洗浄効果等を発揮できる。バブル水供給部４を頭頂部以外に設けることはこの効果をさらに高めることができる。
【００２４】
一方で、図４に示すように、バブル水供給部４はエアストーン１２で形成してもよい。このエアストーン１２はエアホース１５を介してエアポンプ１３と接続され、エアが供給される。カプセル２の頭頂部には貫通孔である開口部１４が設けられていて、ここから水を供給することで、カプセル２内に水を充填できる。利用者はカプセル２を被り、開口部１４から水を注入してカプセル２内を水で満たした状態で、エアポンプ１３を作動させる。エアポンプ１３から送られてきたエアは、エアストーン１２を介してマイクロバブルよりも若干径の大きいミリバブル（およそ直径０．１ミリ以上）となり、これがカプセル２内の水に供給される。換言すれば、バブル水供給部４をエアストーン１２及び開口部１４で形成することで、カプセル２内に満たされた水に対してエアストーン１２から発生するミリバブルを供給し、結果としてカプセル２内にバブル水を供給することができる。これにより、構造がさらに簡単になり、利便性も高まる。
【００２５】
特に、カプセル２内はエアストーン１２からのミリバブルと、バブル水中で浮き上がろうとするミリバブルがぶつかり合っているので、バブル水の複雑な水流と相俟ってミリバブルの超音波作用による種々の効果が高まる。また、エアストーンを用いても、微量のマイクロバブルが発生する場合もある。この場合は、ミリバブルの超音波作用による洗浄効果、マッサージ効果、血行促進作用に加え、マイクロバブルが有する洗浄効果や殺菌効果、さらにはマッサージ効果も併せて得ることができる。
【００２６】
なお、頭部用バブル供給器のさらに好適な例を図５に示す。カプセル２の頭頂部には、ホース５に接続することができる略円筒形状のバブル水供給器４を兼ねるマイクロバブル発生装置８が配されている。ドレン部７はカプセル２の後頭部側からカプセル２の外周に沿って頭頂部に向けてバブル水供給部４よりも若干前方部分まで延びている。ドレン部７の端部に対応する位置にはカプセル２を貫通する貫通孔が設けられていて、バブル水はここから排水される（矢印Ｄ）。なお、図示はしないがドレン部７は二股に分かれていて、バブル水供給部４を挟むようにしてカプセル２の外周に沿って配されている。このような形状のバブル水供給部４とドレン部７とを組み合わせることで、外観がすっきりして取扱い性も向上する。
【００２７】
また、チューブ３は後頭部側にて二股に分かれていてもよい。すなわち、チューブ３は、カプセル２の背面側（後頭部側）に前面側（顔面側）から分岐して２本配され、上チューブ３ａ及び下チューブ３ｂを有している。下チューブ３ｂは上チューブ３ａよりも径が太く設定されている。これにより、下チューブ３ｂは利用者の後頭部下側にて広い面積で接することになり、カプセル２がずり下がることを防止できるとともに、上チューブ３ａにてバブル水をせき止めることができる。
【符号の説明】
【００２８】
１：頭部用バブル供給器、２：カプセル、３：チューブ、４：バブル水供給部、５：ホース、６：エアポンプ、７：ドレン部、８：マイクロバブル発生装置、９：ポンプ、１０：マイクロバブル発生供給装置、１１：浴槽、１２：エアストーン、１３：エアポンプ、１４：開口部、１５：エアホース
【図１】
2019013414.tif 000003
【図２】
2019013414.tif 000004
【図３】
2019013414.tif 000005
【図４】
2019013414.tif 000006
【図５】
2019013414.tif 000007